(57)【要約】【課題】雨水の鼻隠し側への回り込みを抑制するとともに、降雨や積雪などにともなう曲げ応力を分散して足部の耐曲げ強度の向上を図った軒樋吊具を提供すること。【解決手段】鼻隠しに固定される固定部２を有し、この固定部の上端から、軒先に取り付けられる軒樋の幅方向に折れ曲がって延びる足部３と、軒樋の上端部に設けられた耳部を係止可能とした耳係止部２１、２５を有し、軒樋を支持する貝部１９とを備えた軒樋吊具１において、足部の天面部１４に、固定部の上端から折れ曲がる折曲部５の付近から足部の長さ方向に延びる凹部１５が形成され、凹部は、その平面形状が略ひし形とされている。【選択図】図１
2011202441.tif 000002
【特許請求の範囲】
【請求項１】
鼻隠しに固定される固定部を有し、この固定部の上端から、軒先に取り付けられる軒樋の幅方向に折れ曲がって延びる足部と、軒樋の上端部に設けられた耳部を係止可能とした耳係止部を有し、軒樋を支持する貝部とを備えた軒樋吊具において、
前記足部の天面部に、固定部の上端から折れ曲がる折曲部の付近から足部の長さ方向に延びる凹部が形成され、凹部は、その平面形状が略ひし形とされている
ことを特徴とする軒樋吊具。
【請求項２】
前記貝部は、前記足部に沿ってその長さ方向にスライド自在に支持されていることを特徴とする請求項１に記載の軒樋吊具。
【発明の詳細な説明】
【技術分野】
【０００１】
本発明は、軒樋を建物の軒先に取り付けるための軒樋吊具に関する。
【背景技術】
【０００２】
軒樋吊具では、鼻隠しに固定される固定部から軒樋の幅方向に突出して延びる足部の天面に雨水が付着しやすく、付着した雨水が、足部の天面を伝って鼻隠し側に回り込むことがしばしばある。特に風が建物の軒先を吹き付けるような場合、そのように回り込む雨水は、鼻隠しを濡らし、建物の外壁を伝って流れ落ちる。このため、雨水の通った後がしみとなり、建物の外観が損なわれるという問題があった。
【０００３】
このような問題に対し、下記特許文献１には、上記足部に相当する固定杆に、その長手方向に、下方に窪ませたＶ字形状の補強ビードが設けられ、この補強ビードの上面に堤部が形成された樋吊具が記載されている。
【０００４】
この樋吊具では、固定杆に付着した雨水が風によって建物側へ流されるとき、その流れを補強ビードに形成されている堤部によって妨げ、固定杆に付着した雨水が鼻隠しや建物の外壁を濡らして汚さないようにしている。
【０００５】
また、この樋吊具では、補強ビードによって固定杆を、曲げ強度の低下を抑えて幅を狭くし、雨水が付着する面積を縮小するようにしてもいる。
【先行技術文献】
【特許文献】
【０００６】
【特許文献１】特開平５−２３９８９４号公報
【発明の概要】
【発明が解決しようとする課題】
【０００７】
しかしながら、一般に、軒樋吊具の足部において固定部付近に位置する部位は、降雨や積雪などによる荷重が曲げ応力として局所的に集中するところであり、Ｖ字形状の補強ビードによっても十分に対応することが難しい場合も考えられる。
【０００８】
本発明は、以上のとおりの事情に鑑みてなされたものであり、雨水の鼻隠し側への回り込みを抑制するとともに、降雨や積雪などにともなう曲げ応力を分散して足部の耐曲げ強度の向上を図った軒樋吊具を提供することを課題としている。
【課題を解決するための手段】
【０００９】
上記の課題を解決するために、本発明の軒樋吊具は、鼻隠しに固定される固定部を有し、この固定部の上端から、軒先に取り付けられる軒樋の幅方向に折れ曲がって延びる足部と、軒樋の上端部に設けられた耳部を係止可能とした耳係止部を有し、軒樋を支持する貝部とを備えた軒樋吊具において、足部の天面部に、固定部の上端から折れ曲がる折曲部の付近から足部の長さ方向に延びる凹部が形成され、凹部は、その平面形状が略ひし形とされていることを特徴とする。
【００１０】
この軒樋吊具において、貝部は、足部に沿ってその長さ方向にスライド自在に支持されていることが好ましい。
【発明の効果】
【００１１】
本発明の軒樋吊具によれば、固定部の上端から折れ曲がる折曲部の付近から足部の長さ方向に延びる凹部が、足部の天面部に形成されているので、屋根から流れ落ちる雨水を凹部で受け、鼻隠し側に回り込むのを抑制することができる。また、凹部は、その平面形状が略ひし形とされているので、降雨や積雪などによる荷重が曲げ応力として足部に作用しても、折曲部に集中するのを抑制することができ、折曲部の周辺において曲げ応力を分散させることができる。このため、足部の耐曲げ強度が向上する。
【図面の簡単な説明】
【００１２】
【図１】本発明の軒樋吊具の一実施形態を示した斜視図である。
【図２】図１に示した軒樋吊具の足部を示した斜視図である。
【図３】図１に示した軒樋吊具の足部を示した平面図である。
【図４】図１に示した軒樋吊具による軒樋の取付状態を示した要部断面図である。
【発明を実施するための形態】
【００１３】
上記のとおり、図１は、本発明の軒樋吊具の一実施形態を示した斜視図である。図２は、図１に示した軒樋吊具の足部を示した斜視図であり、図３は、図１に示した軒樋吊具の足部を示した平面図である。図４は、図１に示した軒樋吊具による軒樋の取付状態を示した要部断面図である。
【００１４】
軒樋吊具１は、鼻隠し６１に固定可能とされた、略矩形板状の形状を有する固定部２を有する足部３を備えている。足部３は、固定部２の上端から、軒先に取り付けられる軒樋５１の幅方向に対応する前方に折れ曲がって延びている。足部３は、固定部２を含めて一体的に形成されており、耐久性や耐候性などを有する樹脂や金属などから形成可能である。
【００１５】
固定部２では、幅方向の略中央部に前方に突出する補強リブ４が左右一対として設けられ、補強リブ４は、固定部２の強度を高めている。また、補強リブ４の上端部は、固定部２の上端から前方に折り曲がる折曲部５に配置され、折曲部５の強度向上にも寄与している。
【００１６】
このような固定部２では、その長さ方向、すなわち、上下方向の中央部付近において左右両端部に、大きさの異なる円形の固定具挿入孔６が設けられている。固定具挿入孔６は、固定強度などに応じた外径を有するネジなどの固定具に対応して選択可能とされ、固定具の鼻隠しに向けてのねじ込みを可能にしている。また、固定部２では、幅方向の中央部において下端部に縦長の長孔７が形成されている。長孔７は、ネジなどの固定具の挿入を可能とするとともに、フックなどの吊具の挿入も可能としている。
【００１７】
折曲部５から前方に延びる足部３は、前方に向かって緩やかに下方に傾斜する緩傾斜部８と、緩傾斜部８の前端から下方に大きく傾斜する急傾斜部９と、急傾斜部９の下端に略水平に配置され、緩傾斜部８からほぼ一段下がったところに位置する連結部１０とを有している。これらの緩傾斜部８、急傾斜部９および連結部１０は、連続しており、一体的に形成されている。また、足部３では、緩傾斜部８から連結部１０へ向かうにつれて幅が少しずつ縮小し、軽量化などが図られている。一方、緩傾斜部８および連結部１０では、それぞれの左右両側部１１、１２が下方に折り曲げられ、急傾斜部９では、左右両側部１３が後方に折り曲げられて、足部３の強度が高められている。
【００１８】
足部３の天面部１４は、ほぼ緩傾斜部８の上面部によって形成され、天面部１４には、折曲部５の付近から足部３の長手方向である、緩傾斜部８の前端に向かって、下方にくぼむ凹部１５が形成されている。凹部１５では、その前端部は、急傾斜部９の上端部まで達しており、また、固定部２側の後端部は、補強リブ４の上端を形成する２つの凹所１６の前端側の間に配置されている。また、凹部１５は、図３に示したように、その平面形状が略ひし形とされている。このひし形は、凹部１５の幅方向に対応する対角線ｄ１に比べ、凹部１５の長さ方向に対応する対角線ｄ２の長さが長くなっている（ｄ１＜ｄ２）。
【００１９】
連結部１０では、図２および図３に示したように、略中央部に上下に貫通する矩形状の固定孔１７が形成され、固定孔１７には、図１に示したようなナット１８が挿入されている。
【００２０】
また、図１に示したように、軒樋吊具１は、貝部１９を備えている。貝部１９は、足部３に沿ってその長さ方向、すなわち、図１図中に示した矢印ｘ方向にスライド自在に支持されている。軒樋吊具１では、足部３に対して貝部１９を軒樋５１の出寸法にほぼ一致するように調節して配置させ、ナット１８によってその位置で貝部１９を足部３に固定可能としている。
【００２１】
貝部１９は、ほぼ水平に延びるアーム部２０を備え、アーム部２０は、足部３の連結部１０の下面および連結部１０の左右両側部１２の内面をガイドとし、足部３に対して前後方向にスライド可能とされている。ナット１８は、アーム部２０の内部において締結し、足部３に対して貝部１９を固定する。
【００２２】
アーム部２０の前端部には、図４に示した軒樋５１の取付状態において、鼻隠し６１から離れて位置する軒樋５１の上端部に形成された前耳部５２を係止可能とした前耳係止部２１が設けられている。前耳係止部２１は、前耳部５２の形状に対応し、上方にわずかに湾曲するとともに先端部が断面略Ｌ字状に屈曲して上方に突出している。前耳係止部２１は、軒樋５１の前耳部５２の下方に開口する溝状の被係止部５３の内部に差し込まれ、また、軒樋５１において前耳部５２のほぼ直下に形成され、軒樋５１の内側に突出する凸部５４が嵌まり込むように当接し、前耳係止部２１は、軒樋５１の前耳部５２を係止する。
【００２３】
また、図１に示したように、アーム部２０の後端部には、足部３に対応してほぼ同程度に傾斜する急傾斜部２２および緩傾斜部２３が連続して設けられている。また、緩傾斜部２３の上端から下方に延びる支持片部２４が設けられている。支持片部２４の下端には、斜め前方に突出する後耳係止部２５が設けられている。後耳係止部２５は、図４に示した軒樋５１の取付状態において、鼻隠し６１の近い方に位置する軒樋５１の上端部に形成された後耳部５５を係止可能としている。後耳部５５の下端部には、下方に開口する溝状の被係止部５６が形成されている。後耳係止部２５は、被係止部５６に差し込まれ、軒樋５１の後耳部５５を係止する。
【００２４】
さらに、図１に示したように、アーム部２０の後端部には、その底部から後耳係止部２５に向かって延びるバネ片２６が設けられている。図４に示したように、軒樋５１は、前耳部５２が上端部に形成された前壁部５７と、後耳部５５が上端部に形成された後壁部５８と、前壁部５７と後壁部５８の下端を略水平に接続する底壁部５９とから形成されている。バネ片２６は、後耳係止部２５によって後耳部５５が係止された後壁部５８の内面に当接し、貝部１９による軒樋５１の支持を補強する。
【００２５】
このような貝部１９も、アーム部２０、急傾斜部２２、緩傾斜部２３および支持片部２４、また、前耳係止部２１および後耳係止部２５、さらに、バネ片２６を含め、一体的に形成されており、耐久性や耐候性などを有する樹脂や金属などから形成可能である。
【００２６】
以上の軒樋吊具１は、図４に示したように、建物の軒先に取り付けられる。
【００２７】
足部３に備えた固定部２を鼻隠し６１に当接させて配置し、固定具挿入孔６などを通じてネジなどの固定具をねじ込み、固定することによって、軒樋吊具１は、軒先に設けられた鼻隠し６１に取り付けられる。鼻隠し６１は、屋根６２において、下地部６３の下側に設けられた垂木６４の前端に取り付けられ、鼻隠し６１の底部の内側には、軒天井６５が設けられる。そして、足部３に対する貝部１９の固定位置を前後方向にスライドさせ、所定の出寸法となるように調節し、ナット１８によって貝部１９を足部３に固定する。出寸法の調節では、下地部６３に取り付けられ、断面くの字型に折り曲げられた板金製などの水切り６６の、軒先において前方に突出する下端が、軒樋５１の内部に向かうような配置関係が得られるようにする。このような配置関係によって、屋根６２や水切り６６を伝って流れる雨水を確実に軒樋５１へと導くことが可能となる。
【００２８】
軒樋吊具１では、上記のとおり、固定部２の上端から折れ曲がる折曲部５の付近から足部３の長さ方向に延びる凹部１５が、足部３の天面部１４に形成されているので、屋根６２や水切り６６を流れ落ちる雨水を凹部１５で受けることができる。このため、図４図中に示した矢印ｙのように、雨水が鼻隠し６１側に回り込むのを抑制することができる。また、天面部１４は、ほぼ緩傾斜部８の上面部に形成されているので、凹部１５は、前方に緩やかに傾斜しており、しかも、凹部１５の下端部は、急傾斜部９にまで至っているので、凹部１５に溜まる雨水は、鼻隠し６１とは反対側の前方に排水することができる。
【００２９】
さらに、凹部１５は、その平面形状が略ひし形とされているので、降雨や積雪などによる荷重が曲げ応力として足部３に作用しても、折曲部５に集中するのを抑制することができ、折曲部５の周辺において曲げ応力を分散させることができる。このため、足部３の耐曲げ強度が向上する。
【００３０】
なお、本発明は、以上の実施形態によって限定されることはない。足部および貝部の構成および構造、また、形状や大きさなどは、軒先に取り付ける軒樋などに応じて適宜変更することができる。また、貝部は、必ずしも足部に対してスライド自在である必要はなく、本発明は、足部と貝部が一体的に形成された軒樋吊具に対しても等しく適用することができる。
【符号の説明】
【００３１】
１  軒樋吊具
２  固定部
３  足部
５  折曲部
１４  天面部
１５  凹部
１９  貝部
２１  前耳係止部
２５  後耳係止部
５１  軒樋
５２  前耳部
５５  後耳部
６１  鼻隠し
【図１】
2011202441.tif 000003
【図２】
2011202441.tif 000004
【図３】
2011202441.tif 000005
【図４】
2011202441.tif 000006